(57)【要約】      （修正有）【課題】磁石の磁力が急速に改善されてきたのに伴い、永久磁石を回転機関に応用する。【解決手段】往復動体Ａの前後に磁石４，５を取り付けた。それを受ける磁石１４は回転体Ｂの円筒体の外径上で等角線上に往復動体の磁石４，５に対応する位置に取り付けたものである。磁極の変化は制御体２の案内筒６に加工した螺旋状の溝つまり案内溝が往復動することで、回転体Ｂの中心円筒体内径に設けた案内ピンローラーを動かし、回転体Ｂを一回転させることで可能にした。【選択図】図８
2015129578.tif 000002
【特許請求の範囲】
【請求項１】
定位置で回転できる回転体２体の間の中心線上に、レール上を直線的に往復動する往復動体１体を有する機関で、往復運動と回転運動を可能にする機関である。
往復動体は機能体、制御体と車体で構成されている。回転体は回転円筒体、中心円筒体で構成されている。制御体は回転体の中心円筒体の中心部を往復動する構造である。
機能体の前後に取り付けられた磁石と回転円筒体の外径上のほぼ等角線上で、機能体の磁石に対応する位置に取り付けた磁石との間で、反発力、吸引力を発生させることで往復動を行う機関。
制御体は回転体の回転を制御するためのもので、制御体の両端には螺旋状の案内溝が加工された案内筒を有する。この案内溝により、制御体が往復動することで、中心円筒体の内径部に設けた案内ピンローラーを案内して動かし、回転体を回転させる機関。
【発明の詳細な説明】
【技術分野】
【０００１】  本発明は、最近の永久磁石の技術革新により磁力が強力になっている。永久磁石のこの磁力を応用して、効率的に往復運動をさせる機関に関するものである。
【背景技術】
【０００２】  従来、往復運動する機関は、ガソリンなどによる爆発力を利用したものが主であり、永久磁石を利用した往復運動機関は実用化されていない。
【先行技術文献】
【０００３】  特になし
【発明の概要】
【発明が解決しようとする課題】
【０００４】  従来、往復運動する機関は、ガソリンや軽油による内燃機関、蒸気力による蒸気機関などが主である。なぜなら、永久磁石を往復運動する機関に使用するためには、次のような欠陥があり、利用できなかった。
１）磁力が弱い。
２）磁極の変化が容易でない。
３）磁力を継続的に維持できない。
【課題を解決するための手段】
【０００５】  本発明は、磁石の磁力が強力になっているので、この磁力を応用した往復動機関の発明に関するものである。
１）磁力を利用するために、一方は反発力、他方は吸引力を発生する仕組みとした。つまり、移動可能な往復動体の構成部分である機能体の前後に磁石を取り付けて、往復動体の両側の定位置に回転体を設けて、その外径周辺面に磁石を取り付け、双方の磁石を対峙させることで、往復動体の一方には反発力、他方は吸引力が働くようにした。
２）移動可能な往復動体の磁石に相対する磁石は両側の定位置に設けた回転体が対応する。回転体の構成部品である回転円筒体の外径面にほぼ等角度上に、往復動体の構成分部である機能体の前後に取り付けられた磁石が対応する位置に磁石を取り付けて、回転円筒体を回転させることで、磁極を変化させることにした。
３）相対する磁力の維持は、回転円筒体が回転することで、往復動する往復動体の磁石を回転円筒体の磁石が追いかける仕組みにする。そうすることで、相互の磁石が反発と吸引をすることが持続する。その仕組みは、回転円筒体の外径上に、ほぼ等角度上に、往復動体の機能体の前後に取り付けた磁石に対応する位置に磁石を取り付けて、制御体の両端に設けた案内筒に螺旋状に加工した案内溝が中心円筒体の案内ピンローラーを案内し動かすことで、回転を制御する。そうすることで往復動体の磁石との距離を保持して、相対する磁石間の磁力を維持することが出来る。
本発明の主たる構成物は、次の２つで往復動体と回転体である。
往復動体は、車体、機能体、制御体の３つの部分で構成され、車体はレール上を直線的に往復動するものである。機能体と制御体は車体上に固定されており、機能体は前部および後部の先端に永久磁石を装備して、対峙する回転体の回転円筒体の磁石との間で、磁力が働くことで、反発力と吸引力を発生して、車体を往復動させる。制御体には両端に案内筒が設けてあり、案内筒には螺旋状の案内溝がある。制御体は回転体の中心円筒体の中心部を往復動する。中心円筒体の内径部に設けた案内ピンローラーがあり、それが往復動する制御体の案内筒の案内溝にそって運動することにより、回転する仕組みである。それゆえ、車体の往復動で、回転体は１回転する。
回転体は回転円筒体、中心円筒体の２つの部分で構成され、回転円筒体の外径上のほぼ等角度上に、機能体の前後に取り付けた磁石に対応する位置に磁石が取り付けられている。中心円筒体は回転を制御するために、内径部には、往復動体の制御体に設けられた案内筒の案内溝にそってスムーズに動き、回転体の回転、位置を制御するための案内ピンローラーが設けてある。外径部は回転体の回転を容易に行うために、両端を回転ベアリングで支持してある。また、制御体が中心円筒体の中心部をスムーズに動くために、中心円筒体の内径部にも、ベアリングを設ける。
つまり、往復動体と回転体の対峙する２組の磁石の間で反発力、吸引力を発生することで、往復動体は往復運動する。往復運動により、制御体は回転円周体の磁石の位置を制御することで、往復動体は往復運動を維持することになる。
【発明の効果】
【０００６】  以上に述べたように本発明は、往復動体Ａの１体と回転体Ｂの２体で構成されるもので、往復動体Ａは２体の回転体Ｂからの磁力により、反発力と吸引力を受ける。
往復動体Ａは、機能体１、制御体２、車体３で構成されており、レール８の上を往復運動する。機能体１の前後には磁石４，５が取り付けてある。これらは回転体Ｂの回転円筒体１１の外径上に取り付けた磁石１４と対峙して、反発力と吸引力をうけるようにしてある。制御体２の両端には案内筒６を設け、これには螺旋状の案内溝７が加工してある。案内溝７は回転体Ｂの中心円筒体１２の内径部に設けられた案内ピンローラー１３を案内するものである。
回転体Ｂは、回転円筒体１１、中心円筒体１２、で構成され、回転円筒体１１の外径上、ほぼ等分角上に、機能体の磁石４，５に対応する位置に磁石１４を設ける。９０度に等分した場合、磁石１４は４個、６０度に等分した場合、磁石１４は６個になる。等分する角度により、対応する磁石は増加する。
回転体Ｂを回転させるために、中心円筒体１２の両端外径部を回転ベアリング１６で支持してある。回転力を発生させるために、中心円筒体１２の内径部には案内ピンローラー１３を設けて、これが制御体２に設けてある案内筒６の螺旋状に加工した案内溝７に沿って動くことで、回転体Ｂを回転させる。さらに中心円筒体１２の中心部にある制御体２の往復動をスムーズに行うために、案内筒６に対応させるベアリング１５が装備されている。
始動時には、外部からの力で、往復動体Ａを一方の回転体Ｂに近接させた状態にする。機能体１の磁石５が回転円筒体１１の磁石１４の磁力を受け反発する状態に設定して、外力を解除すると、反力により、往復動体Ａは反対方向へ動く、反対側の回転体Ｂの円筒回転体１１の磁石１４は、機能体２の磁石４を引きつける状態に設定してあるので、吸引力により、さらに往復動体Ａは反対側へ動き、機能体の磁石４，５は、回転円筒体１１の回転により、次の磁石１４に近接して、反発力、吸引力が働く、これにより、さらに反対側に動くことになる。往復動体Ａが反対側に近接する時点で、回転円筒体１１の回転により、磁石１４は反発の組み合わせに設定してあるので、元の方向にもどるように動くことになる。
このように、往復動体Ａの往復動により、機能体２の前後に取り付けた磁石４，５と、制御体２により回転体Ｂの回転円筒体１１の磁石１４の組み合わせを制御することで、機能体２は磁石４，５を介し、回転体Ｂの回転円筒体１１の磁石１４の間で反発力、吸引力を受ける。それゆえ、往復動体Ａが往復動をすることになる。このような永久磁石を応用した往復動体Ａは、特別なエネルギーを必要としないため、地球環境改善のために、世界中に貢献できる製品であり、家庭の発電装置、自動車の動力源、船の動力などに利用ができ、世界の人々に役立つ製品として提供することができる。
【図面の簡単な説明】
【０００７】
【図１】本発明の往復動体Ａの側面図である。
【図２】往復動体Ａの断面図である。
【図３】案内筒６の断面である。
【図４】本発明の回転体Ｂの側面図である。
【図５】回転体Ｂの中心線断面図である。
【図６】回転体Ｂの断面図である。
【図７】機能体１と回転円筒体１１の磁石の関係を示すものである。
【図８】本発明の全体図である。
【発明を実施するための形態】
【０００８】  以下、本発明の実施の形態を図面に従って説明する。
図１は往復動体Ａの側面を示しており、機能体１、制御体２、車体３により構成されている。機能体１と制御体２は車体３の上に固定されている。機能体１には、前後に磁石４，５が取り付けられている。制御体２には、回転体Ｂを回転させるため案内筒６が設けてあり、螺旋状の案内溝７が加工されている。制御体２が往復することで、回転体Ｂを１回転させるためのものである。
図２は往復動体Ａの断面を示している。
図３は案内筒６の断面を示しており、案内筒６に案内溝７が加工してある。
図４は回転体Ｂの側面を示し、図５は回転体Ｂの中心線断面を示している。回転体Ｂは回転円筒体１１、中心円筒体１２で構成されている。回転体Ｂを回転させるために、回転円筒体１１の外径上、ほぼ等角上に、往復動体Ａの機能体１の磁石４，５に対応する位置に磁石１４を取り付けてある。回転体Ｂを容易に回転させるために、中心円筒体１２の外径両端部に回転ベアリング１６を設けてある。  回転力を得るための仕組みは中心円筒体１２の内径入口付近に案内ピンローラー１３を取り付け、往復動体Ａの制御体２に案内筒６に螺旋状に加工された案内溝７に沿って動くようにしてある。また、制御体２のスムーズな往復運動のため、ベアリング１５が取り付けてある。
図６は回転体Ｂの断面を示している。この断面では、９０度で等分したものを示した。回転円筒体１１の外径上には４個の磁石１４が取り付けてある。この場合は、回転角度０度の取り付け位置は下端、９０度で中間位置、１８０度で上端、２７０度で中間位置になる。反対側の回転体はその位置が０度で上端、９０度で中間位置、１８０度で下端、２７０度で中間位置である。その回転位置を制御させるための中心円筒体１２の内径部には案内ピンローラー１３が取り付けてある。
図７は機能体１と回転円筒体１１の磁石の位置関係図である。機能体１の位置と回転体Ｂの回転円筒体１１の回転角度、０，９０，１８０，２７０，３６０度、それぞれの角度における回転円筒体１１の磁石１４の磁極の設定を説明するものである。
機能体１の位置と動く方向は
０度で左側にＮ−Ｎの反発力、右側にＳ−Ｎの吸引力で右へ移動
９０度で左側にＮ−Ｎの反発力、右側にＳ−Ｎの吸引力で右へ移動
１８０度で左側にＳ−Ｎの吸引力、右側にＳ−Ｓの反発力で左へ移動
２７０度で左側にＳ−Ｎの吸引力、右側にＳ−Ｓの反発力で左へ移動
３６０度で左側にＮ−Ｎの反発力、右側にＳ−Ｎの吸引力で右へ移動する。
図８図は、往復動体Ａと回転体Ｂを組み合わせた全体の側面図である。
【符号の説明】
【０００９】  Ａ  往復動体
１  機能体                ２  制御体                ３  車体
４  磁石                  ５  磁石                  ６  案内筒
７  案内溝                ８  レール
Ｂ  回転体
１１  回転円筒体          １２  中心円筒体          １３  案内ピンローラー
１４  磁石                １５  ベアリング          １６  回転ベアリング
【図１】
2015129578.tif 000003
【図２】
2015129578.tif 000004
【図３】
2015129578.tif 000005
【図４】
2015129578.tif 000006
【図５】
2015129578.tif 000007
【図６】
2015129578.tif 000008
【図７】
2015129578.tif 000009
【図８】
2015129578.tif 000010